(57)【要約】【課題】  負荷時タップ切換器を備えた油入電気機器において、内部異常の診断精度を向上させることのできる油入電気機器の異常診断補助装置を提供する。【解決手段】  負荷時タップ切換器を備えた油入電気機器Ａの呼吸管１０上に外気中のメタン、エチレン、アセチレンを吸着する吸着剤を収容した異常診断補助手段１３を備えさせて、油入電気機器Ａの呼吸管１０上に外気中のメタン、エチレン、アセチレンが流入しないようにしたことで、油入電気機器Ａの呼吸管１０中の炭化水素ガスは全て油入電気機器Ａ由来のガスとすることにより、油入電気機器Ａの呼吸管１０上のガス分析による内部異常の診断精度を向上させることができる。【選択図】        図１
2017204512.tif 000002
【特許請求の範囲】
【請求項１】
電圧を調整する負荷時タップ切換器有する油入電気機器において、油入電気機器の吸湿呼吸器を取り付ける呼吸経路上に、外気中のメタン、エチレン、アセチレンを吸着する吸着剤を設置する吸着手段を備えて構成することを特徴とする油入電気機器の異常診断補助手段。
【発明の詳細な説明】
【技術分野】
【０００１】
本発明は、絶縁油によって絶縁を施した負荷時タップ切換器付油入電気機器の内部異常診断の精度を向上させるための補助装置に関するものである。
【背景技術】
【０００２】
従来から、油入電気機器の内部診断技術としては油中ガス分析が広く利用されている。油入電気機器の内部異常現象は、絶縁破壊や局部過熱等、発熱を伴うものであり、発熱源に接触した絶縁油や絶縁紙、或いは、プレスボードやベークライト等の絶縁材料は化学分解反応を起こし、一酸化炭素（ＣＯ）や二酸化炭素（ＣＯ2）、水素（Ｈ2）やメタン（ＣＨ4）、エタン（Ｃ2Ｈ6）、エチレン（Ｃ2Ｈ4）、アセチレン（Ｃ2Ｈ2）等の炭化水素ガスを発生する。
【０００３】
発生する炭化水素ガスは絶縁油に対する溶解度が大きいものが多く、その大部分が絶縁油中に溶解するので、油入電気機器から採取した絶縁油中のガスを抽出・分析して、そのガス量とガスの組成を測定することによって、油入電気機器内部の異常の有無と、異常の程度を判定することが可能となる。
【０００４】
ところが、油入電気機器内部の異常の有無と、異常の程度を判定するには、現地に出向いて油入電気機器からサンプルとなる絶縁油を採取し、絶縁油中のガスを抽出・分析できる設備のある研究施設等に持ち帰る必要があると共に、絶縁油の採取は定期点検時等に行われるため、油入電気機器の内部異常の発見が遅れることもある。
【０００５】
そこで、問題を解決する方法として下記特許文献１の方法が提示されている。下記特許文献１の方法は、ガスセンサーを用いてコンサベータ内に設置された隔膜を透過した隔膜上面空間のガス検出を行い、変圧器を常時監視し、内部異常の早期発見、内部事故の防止方法である。  
【先行技術文献】
【特許文献】
【０００６】
【特許文献１】特開２００７−４３０２６号
【発明の概要】
【発明が解決しようとする課題】
【０００７】
しかし、上記特許文献１記載の方法では、負荷時切換タップ器を備えた油入電気機器（変圧器）では油入電気機器（変圧器）が正常運転している場合においても、負荷の変化による切換開閉器の切換時の発熱により絶縁油の化学反応が起こり、切換開閉器で油入電気機器（変圧器）の内部異常と同じ種類の炭化水素ガスを発生する。切換開閉器で発生した炭化水素ガスは、切換開閉器を収めたタンクに接続された吸湿呼吸器を介して外気に散逸して、一部は油入電気機器の呼吸作用により油入電気機器に接続されたコンサベータの呼吸経路上（コンサベータ隔膜上面空間）に外気と共に流入する。
【０００８】
この様に切換開閉器で発生した炭化水素ガスが、ガスセンサーを設置しているコンサベータの呼吸経路上（コンサベータ隔膜上面空間）に流入するため、呼吸経路上（コンサベータ隔膜上面空間）でコンサベータ隔膜を透過する特定のガス濃度が増加しても油入電気機器内の変圧器本体での異常を診断することが難しい。
【０００９】
以上の事情に鑑みて、本発明は、負荷時タップ切換器付油入電気機器において、確実に油入電気機器内の変圧器本体での異常を油中ガス分析で診断できる診断補助手段を提供するものである。
【課題を解決するための手段】
【００１０】
請求項１記載の発明は、電圧を調整する負荷時タップ切換器有する油入電気機器において、油入電気機器の吸湿呼吸器を取り付ける呼吸経路上に、外気中のメタン、エチレン、アセチレンを吸着する吸着剤を設置する吸着手段を備えて構成することを特徴とする油入電気機器の異常診断補助手段を備えて構成したことに特徴を有する。
【発明の効果】
【００１１】
請求項１記載の発明によれば、油入電気機器の吸湿呼吸器を取付ける呼吸経路上に、外気中のメタン、エチレン、アセチレンを吸着する吸着剤を設けたことで、外気中のメタン、エチレン、アセチレンが油入電気機器の吸湿呼吸器を取付ける呼吸経路上に流入することを無くすことができ、内部異常診断の精度を向上させることができる。
【図面の簡単な説明】
【００１２】
【図１】本発明の第１実施例を示す油入電気機器の正面図である。
【図２】第１実施例に係る異常診断補助手段の構造を示す図である。
【発明を実施するための形態】
【００１３】
以下、本発明の実施の形態について図１乃至図２を用いて説明する。図１は本発明に係る異常診断補助装置を採用した油入電気機器（油入変圧器Ａ）の正面図である。図１において、１は油入変圧器Ａのタンクであり、２はタンク１内に収容・固定される鉄心やコイル等からなる変圧器本体である。
【００１４】
３は切換開閉器であり、４は切換開閉器３を収容するタップ切換開閉器室であり、
５は変圧器タンク１内及びタップ切換開閉器室に充填されて、変圧器本体２と切換開閉器３を冷却および絶縁する絶縁油である。また、６は変圧器タンク１の上部に取付けられたコンサベータであり、７はタップ切換開閉器室４の上部に取付けられたコンサベータである。
【００１５】
８は変圧器タンク１の下部に設けられて、変圧器タンク１内に充填した絶縁油５を抜き取る排油コックを示している。当該排油コック８には、注射器を接続してピスト
ンを引く操作をしたり、或いは、絶縁油５の自重によって、ほぼ大気に晒すことなく変圧器タンク１内から絶縁油５を採取できる。
【００１６】
９はコンサベータ６の上部に一端を連結した呼吸管１０の他端に接続される吸湿呼吸器であり、１１はコンサベータ７の上部に一端を連結した呼吸管１２の他端に接続される吸湿呼吸器である。吸湿呼吸器９及び吸湿呼吸器１１の内部にはシリカゲル等の吸湿剤（図示せず）が収容されている。吸湿呼吸器９及び吸湿呼吸器１１は、変圧器タンク１内及びタップ切換開閉器室４内に呼吸管１０及び呼吸管１２を介して空気中の水分が侵入することを防いでいる。１３はコンサベータ６の内部で空気と絶縁油５の接触を遮断する遮蔽体である。
【００１７】
１４は油入変圧器Ａの内部異常の診断精度を向上させるため異常診断補助手段を示している。異常診断手段１４は、ケース１４ａ内に図示していない外気中のメタン、エチレン、アセチレンを吸着する吸着剤を収容して構成されている。
【００１８】
以上のごとく構成される油入変圧器Ａは、正常運転時においても、切換開閉器３で前述した化学分解反応によって炭化水素ガスが発生している。
【００１９】
図２は前記異常診補助手段１４の構造を示す斜視図である。異常診断補助手段１４は、中空円筒状のケース１４ａ内に収容されたメタン、エチレン、アセチレンを吸着する吸着剤１５、吸着剤１５を収める中空円筒状の内部容器１６から構成される。
【００２０】
つづいて、本発明の第１実施例によって油入変圧器Ａの内部異常の診断精度を向上させる方法について説明する。
【００２１】
タップ切換開閉器室４内では切換開閉器３が動作するたびに、発熱源に接触した絶縁油５の化学分解反応によって分解ガスが発生する。タップ切換開閉器室４で発生した分解ガス中のメタン、エチレン、アセチレンは、タップ切換開閉器室４のコンサベータ７中の絶縁油５の油面から呼吸管１２へ流入し、吸湿呼吸器１１から外部へ放出される。
【００２２】
このタップ切換開閉器室４外に放出されたメタン、エチレン、アセチレンの一部は、油入変圧器Ａの外気（空気）と一緒に油入変圧器Ａの呼吸作用によって、吸湿呼吸器９を介して呼吸管１０に流入する。流入したメタン、エチレン、アセチレンは異常診断補助手段１４を構成する吸着剤１５（図２参照）によって吸収されるので、油入電気機器の吸湿呼吸器を取付ける呼吸経路上に流入することを防止する。吸着剤１５は、メタン、エチレン、アセチレンを吸着する活性炭、モレキュラーシーブス、シリカゲル、ポーラスポリマー等である。
【００２３】
これにより、油入変圧器Ａ内に接続されたコンサベータの呼吸経路上に含まれるメタン、エチレン、アセチレンは油入変圧器Ａによって発生した分解ガス中のメタン、エチレン、アセチレンのみとなるので、油入電気機器に接続されたコンサベータの呼吸経路上のメタン、エチレン、アセチレンの量を確認することで油入変圧器Ａの内部異常の有無と程度を高い精度で診断できる。
【００２４】
なお、油入電気機器内部の異常の有無と、異常の程度を判断する方法として、油入電気機器に接続されたコンサベータの呼吸経路上のメタン、エチレン、アセチレンの量を確認する方法で説明したが、タップ切換開閉器室４で発生したメタン、エチレン、アセチレンがコンサベータ６から油入変圧器Ａ内の絶縁油５に溶解することを防止するができるので、油入変圧器Ａ内の絶縁油５中のメタン、エチレン、アセチレンは油入変圧器Ａによって発生した分解ガスに由来する成分のみとなり、絶縁油中のガスを抽出・分析する方法においても、油入変圧器Ａの内部異常の有無と程度を高い精度で診断することができる。
【００２５】
今回は、コンサベータ６の内部に空気と絶縁油５の接触を遮断する遮蔽体１３がある密閉型油入電気機器の場合で説明したが、コンサベータ６の内部に空気と絶縁油５の接触を遮断する遮蔽体１３がない開放型油入電気機器においても、同様に油入り変圧器Ａの内部異常の有無と程度の診断精度を向上させることができる。
【産業上の利用可能性】
【００２６】
油入変圧器等の内部異常の診断に利用可能である。
【符号の説明】
【００２７】
１  変圧器タンク
２  変圧器本体
３  切換開閉器
４  タップ切換開閉器室
５  絶縁油
６，７  コンサベータ
８  排油コック
９、１１  吸湿呼吸器
１０，１２  呼吸管
１３  遮蔽体（隔膜）
１４  異常診断補助手段
１４ａ  ケース
１５  吸着剤
１６  内部容器
Ａ  油入変圧器
【図１】
2017204512.tif 000003
【図２】
2017204512.tif 000004